(57)【要約】【課題】ＦＰＣの断線の発生を抑制する。【解決手段】  第１筐体１１と、第１筐体と重なり合った状態でスライド及び回転が可能な第２筐体１２と、第１筐体と第２筐体とを電気的に接続する、少なくとも２箇所の折り返し部分を有するＦＰＣ２００と、を備え、ＦＰＣの一の折り返し部分は、スライド方向に垂直な方向に沿った折れ目７８を有するとともに、当該折れ目が第２筐体のスライド時にスライド方向に移動し、ＦＰＣの他の折り返し部分は、回転方向に垂直な方向に沿った折れ目７９を有するとともに、当該折れ目が第２筐体の回転時に回転軸回りに移動する。【選択図】図１３
2011142396.tif 000002
【特許請求の範囲】
【請求項１】
第１面を有する第１筐体と、
前記第１筐体の第１面と対向する第２面を有し、前記第２面の少なくとも一部を前記第１面に重なり合わせた状態でのスライド及び前記第１、第２面に垂直な回転軸回りの回転が可能な第２筐体と、
前記第１筐体と前記第２筐体とを電気的に接続する、少なくとも２箇所の折り返し部分を有するフレキシブルプリント基板と、を備え、
前記フレキシブルプリント基板の一の折り返し部分は、前記スライド方向に垂直な方向に沿った折れ目を有するとともに、当該折れ目が前記第２筐体のスライド時に前記スライド方向に移動し、
前記フレキシブルプリント基板の他の折り返し部分は、前記回転方向に垂直な方向に沿った折れ目を有するとともに、当該折れ目が前記第２筐体の回転時に前記回転軸回りに移動する、ことを特徴とする電子機器。
【請求項２】
前記フレキシブルプリント基板は、直線状に延びる第１部分と、円弧状に延びる第２部分と、を有し、
前記一の折り返し部分は、前記第１部分に設けられ、前記他の折り返し部分は、前記第２部分に設けられていることを特徴とする請求項１に記載の電子機器。
【請求項３】
前記第１筐体の第１面及び前記第２筐体の第２面の少なくとも一方には、前記一の折り返し部分の折れ目、及び前記他の折り返し部分の折れ目の少なくとも一方との機械的な干渉を抑制する凹部が形成されていることを特徴とする請求項１又は２に記載の電子機器。
【請求項４】
前記第２筐体の前記第１筐体に対する回転と同時に、前記第２筐体が前記第１筐体に対してスライド移動することを特徴とする請求項１〜３のいずれか一項に記載の電子機器。
【請求項５】
前記第２筐体は、前記第１筐体に対するスライド移動と回転とを、別個独立して行うことを特徴とする請求項１〜３のいずれか一項に記載の電子機器。
【発明の詳細な説明】
【技術分野】
【０００１】
本件は、電子機器に関する。
【背景技術】
【０００２】
近年、携帯電話等の情報端末（電子機器）は、高機能化の一途をたどっている。このような情報端末では、携帯性、操作性、表示の見やすさなどを理由に、キーボード部等を有する第１筐体に対し、ディスプレイ等を有する第２筐体をスライド、回転等できる機構が採用されてきている。
【０００３】
また、このような情報端末では、相対的に位置が変化する２つの筐体間を電気的に接続する配線として、細い複数本の電線や、フレキシブルプリント基板（ＦＰＣ）などが採用される。このうち、フレキシブルプリント基板は、構造がシンプルで機器の組立てが容易になるというメリットがあるが、動き方向の自由度が少ないため、第１、第２筐体が複雑な動きをすると、断線するおそれがある。特許文献１には、スライド式携帯電話において、フレキシブルプリント基板の断線を有効に防止することを目的とした技術が提案されている。
【先行技術文献】
【特許文献】
【０００４】
【特許文献１】特開２００８−１８７１５４号公報
【発明の概要】
【発明が解決しようとする課題】
【０００５】
上記特許文献１では、フレキシブルプリント基板を長手方向途中において巻回等することにより、携帯電話のスライドによっても断線が生じないような構成を採用している。
【０００６】
しかるに、上述したように、最近では、スライドと回転を行うことが可能な情報端末も出現してきているため、これらの動きにも対応できる、自由度の高いフレキシブルプリント基板も必要となると考えられる。
【０００７】
そこで本件は上記の課題に鑑みてなされたものであり、スライド、回転動作時の断線の発生を抑制することが可能な電子機器を提供することを目的とする。
【課題を解決するための手段】
【０００８】
本明細書に記載の電子機器は、第１面を有する第１筐体と、前記第１筐体の第１面と対向する第２面を有し、前記第２面の少なくとも一部を前記第１面に重なり合わせた状態でのスライド及び前記第１、第２面に垂直な回転軸回りの回転が可能な第２筐体と、前記第１筐体と前記第２筐体とを電気的に接続する、少なくとも２箇所の折り返し部分を有するフレキシブルプリント基板と、を備えており、前記フレキシブルプリント基板の一の折り返し部分が、前記スライド方向に垂直な方向に沿った折れ目を有するとともに、当該折れ目が前記第２筐体のスライド時に前記スライド方向に移動し、前記フレキシブルプリント基板の他の折り返し部分が、前記回転方向に垂直な方向に沿った折れ目を有するとともに、当該折れ目が前記第２筐体の回転時に前記回転軸回りに移動する電子機器である。
【発明の効果】
【０００９】
本明細書に記載の電子機器は、スライド、回転動作時の断線の発生を抑制することができるという効果を奏する。
【図面の簡単な説明】
【００１０】
【図１】図１（ａ）は、一実施形態に係る携帯電話の第１状態を示し、図１（ｂ）は、携帯電話の第２状態を示す図である。
【図２】携帯電話の第３状態を示す図である。
【図３】図３（ａ）は、一実施形態に係る携帯電話機の分解図であり、図３（ｂ）は、図３（ａ）のＡ−Ａ線断面図である。
【図４】図４（ａ）は、ベースプレートとスイングプレートを＋Ｚ側から見た状態を示す斜視図であり、図４（ｂ）は、スイングプレートを−Ｚ側から見た状態を示す斜視図である。
【図５】図５（ａ）は、ベースプレートとスイングプレートとが組みつけられた状態を示す図であり、図５（ｂ）、図５（ｃ）は、ベースプレートとスイングプレートとが組みつけられた状態を−Ｚ側から見た状態を示す図である。
【図６】図６（ａ）〜図６（ｄ）は、スイングプレートのＹ軸方向への移動を伴う回転を説明するための図（その１）である。
【図７】図７（ａ）〜図７（ｄ）は、スイングプレートのＹ軸方向への移動を伴う回転を説明するための図（その２）である。
【図８】図８（ａ）〜図８（ｃ）は、スライドプレートの動きを説明するための図（その１）である。
【図９】図９（ａ）、図９（ｂ）は、スライドプレートの動きを説明するための図（その２）である。
【図１０】スライドプレートの動きを説明するための図（その３）である。
【図１１】図１１（ａ）はＦＰＣを示す図であり、図１１（ｂ）は、ＦＰＣが携帯電話に実装される際の状態を示す斜視図である。
【図１２】図１２（ａ）〜図１２（ｃ）は、図８（ａ）〜図８（ｃ）の動きを行ったときのＦＰＣの状態を示す図である。
【図１３】図１３（ａ）、図１３（ｂ）は、図９（ａ）、図９（ｂ）の動きを行ったときのＦＰＣの状態を示す図である。
【図１４】図１０の状態における、ＦＰＣの状態を示す図である。
【図１５】スライドプレートに設けられた凹部を示す図である。
【図１６】図１６（ａ）、図１６（ｂ）は、変形例を示す図である。
【発明を実施するための形態】
【００１１】
以下、電子機器の一実施形態について、図１〜図１５に基づいて詳細に説明する。図１及び図２は、電子機器としての携帯電話１００を示す平面図である。なお、以下においては、説明の便宜上、図１（ａ）に示す携帯電話１００の表示画面１６の長手方向（縦方向）をＹ軸方向、短手方向（横方向）をＸ軸方向、表示画面１６に直交する方向（厚さ方向）をＺ軸方向として説明するものとする。
【００１２】
携帯電話１００は、図１（ａ）に示すような第１状態と、図１（ｂ）に示すような第２状態と、図２に示すような第３状態との間で遷移可能である。このうち、図１（ａ）の第１状態は、第１筺体１１（図１（ｂ）参照）と第２筺体１２（表示画面１６を有する筺体）とが重なった状態である。この第１状態は、携帯電話１００のＹ軸方向（縦方向）に関する全長が最も短くなる。図１（ｂ）の第２状態は、第１状態から第２筺体１２が上方（＋Ｙ方向）にスライド移動して、携帯電話１００の全長が最大まで延びた状態である。この第２状態では、第１筺体１１の操作部１４が露出した状態となる。図２の第３状態は、第２状態から第２筺体１２が第１筺体１１に対して９０°回転した状態である。
【００１３】
以下、携帯電話１００の構成各部について、携帯電話１００の分解図を示す図３（ａ）等に基づいて、具体的に説明する。携帯電話１００は、上記第１筐体１１と、第２筐体１２と、第１筐体１１と第２筐体１２との間を電気的に接続するフレキシブルプリント基板（ＦＰＣ：Flexible Printed Circuits）（以下、単に「ＦＰＣ」と呼ぶ）２００と、を有する。
【００１４】
第１筺体１１は、図３（ａ）に示すように、扁平な略直方体形状を有する第１筐体本体１１０と、ベースプレート２０と、スイングプレート３０と、を有する。第１筐体本体１１０には、操作部１４が設けられている。この操作部１４は、テンキーや通話開始キー、通話終了キー、方向キーなどを含んでいる。
【００１５】
ベースプレート２０は、略矩形の板状部材から成り、第１筐体１１の＋Ｚ側面の＋Ｙ側端部にネジ止め等により固定されている。ベースプレート２０の略中央には、長円状のガイド孔２５が貫通形成されている。なお、ベースプレート２０の−Ｚ側の面におけるガイド孔２５の近傍と、第１筐体１１の＋Ｚ側の面との間には隙間が形成されている。また、ベースプレート２０の＋Ｚ側の面には、第１カムピン２６と、第２カムピン２８とが突設されている。これら第１カムピン２６及び第２カムピン２８は、Ｘ軸方向に関し、ベースプレート２０の中央部に位置している。
【００１６】
スイングプレート３０は、板状の本体部３２と、本体部３２の−Ｘ側端部及び＋Ｘ側端部に設けられたＸＺ断面Ｌ字状（図４（ａ）の斜視図参照）のスライド脚部３４ａ、３４ｂとを有する。本体部３２の略中央部には、軸部３５が固定されている。この軸部３５は、スイングプレート３０を−Ｚ側から見た状態を示す図４（ｂ）から分かるように、−Ｚ方向に突出している。また、スイングプレート３０には、本体部３２の軸部３５近傍に、Ｘ軸及びＹ軸に交差する方向に延びる略直線状の第１カム溝３６と、略Ｕ字状の第２カム溝３８とが、貫通形成されている。
【００１７】
図５（ａ）には、スイングプレート３０がベースプレート２０に組み付けられた状態が平面図にて示されている。この図５（ａ）に示すように、スイングプレート３０がベースプレート２０に組み付けられた状態では、ベースプレート２０に設けられた第１カムピン２６が、第１カム溝３６に係合する。また、ベースプレート２０に設けられた第２カムピン２８が、第２カム溝３８に係合する。更に、スイングプレート３０の軸部３５がベースプレート２０のガイド孔２５に係合する。
【００１８】
また、ベースプレート２０の裏面（−Ｚ面）には、図５（ａ）の状態をベースプレート２０の裏面側（−Ｚ側）から見た図５（ｂ）から分かるように、付勢部材としての捻りバネ２３が設けられている。この捻りバネ２３の一端２３ａは、ベースプレート２０に固定され、他端２３ｂ側は、軸部３５に接触している。この捻りバネ２３は、図５（ｃ）に示すように、軸部３５に対して−Ｙ方向の付勢力Ｆａを常時付与している。
【００１９】
次に、図６及び図７に基づいて、ベースプレート２０に対するスイングプレート３０の動作（動き）について説明する。
【００２０】
図６（ａ）には、ベースプレート２０（実線）と、回転前（携帯電話１００が第２状態（図１（ｂ））にあるとき）のスイングプレート３０（破線）の状態が示されている。この状態では、軸部３５は、ガイド孔２５の−Ｙ側端部に位置している。この図６（ａ）の状態から、図６（ｂ）に示すように回転方向（Ｒｚ方向）の力Ｆｂがスイングプレート３０に作用すると、スイングプレート３０は、Ｒｚ方向に回転するととともに、＋Ｙ方向に移動する。このスイングプレート３０の＋Ｙ方向への移動は、第１カム機構６６と第２カム機構６８によるガイドを受けて、軸部３５がガイド孔２５内をスライドすることで実現されている。
【００２１】
そして、図６（ｃ）の状態を経て、図６（ｄ）のように４５°回転するまで、スイングプレート３０は、Ｒｚ方向に回転しつつ、＋Ｙ方向に移動する。このようにスイングプレート３０が４５°回転した図６（ｄ）の状態では、軸部３５が、ガイド孔２５の＋Ｙ側端部に位置するようになっている。これら図６（ａ）〜図６（ｄ）の動作の間は、軸部３５には、捻りバネ２３からの付勢力Ｆａ（−Ｙ方向の力）が作用しているので（図５（ｃ）参照）、スイングプレート３０は、当該付勢力Ｆａを受けながら、＋Ｙ方向にスライド移動する。
【００２２】
その後、図７（ａ）に示すように、回転角度が４５°を超えると、スイングプレート３０は、Ｒｚ方向に回転しつつ、−Ｙ方向に移動する。そして、図７（ｂ）、図７（ｃ）に示す状態を経て、図７（ｄ）に示すようにスイングプレート３０が９０°回転すると、軸部３５は、ガイド孔２５の−Ｙ側端部に戻る。なお、図７（ｄ）は、携帯電話１００が第３状態（図２）にあるときのベースプレート２０及びスイングプレート３０の状態を示している。これら図７（ａ）〜図７（ｄ）の動作の間も、軸部３５には捻りバネ２３の付勢力Ｆａ（−Ｙ方向の力）が作用している（図５（ｃ）参照）。したがって、これら図７（ａ）〜図７（ｄ）の間においては、付勢力Ｆａの作用により、スイングプレート３０がスムーズに−Ｙ方向にスライド移動するようになっている。
【００２３】
以上のように、本実施形態では、スイングプレート３０がベースプレート２０に対して回転する際には、スイングプレート３０がベースプレート２０に対して＋Ｙ方向及び−Ｙ方向に移動するようになっている。
【００２４】
なお、図７（ｄ）の状態から図６（ａ）の状態に戻る際にも、上記と全く逆の動作が行われる。
【００２５】
図３（ａ）に戻り、第２筺体１２は、第１筐体１１の＋Ｚ側の面（第１面）と重なり合う−Ｚ側の面（第２面）を有し、当該−Ｚ側の面の少なくとも一部を第１筐体１１の＋Ｚ側の面に重なり合わせた状態で、スライド及び回転するものである。この第２筐体１２は、扁平な略直方体形状を有する第２筐体本体１２０と、第２筐体本体１２０の−Ｚ側の面に設けられたスライドプレート４０と、を有する。
【００２６】
第２筐体本体１２０の＋Ｚ側面のほぼ中央部には、液晶パネルや有機ＥＬディスプレイなどから成る表示画面１６が設けられている。この表示画面１６は、図１（ａ）の状態でも、表示画面１６上での作業を可能にするために、タッチパネルとしての機能を有していても良い。
【００２７】
スライドプレート４０は、全体的に見て長方形状の略板状部材である。このスライドプレート４０には、略Ｌ字形状を左右反転した形状を有するスライドガイド孔４２が貫通形成されている。スライドガイド孔４２は、Ｙ軸方向に延びる第１孔部４２ａと、第１孔部４２ａの−Ｙ側端部からＸ軸及びＹ軸に交差する方向に延びる第２孔部４２ｂとを有する。第２孔部４２ｂの第１孔部４２ａとは反対側の端部は、スライドプレート４０の長手方向（Ｙ軸方向）に関し、ほぼ中央部に位置している。
【００２８】
また、スライドプレート４０は、図３（ａ）のＡ−Ａ線断面図である図３（ｂ）に示すように、−Ｘ側の端部及び＋Ｘ側の端部が断面コ字状（Ｕ字状）に折り曲げられ、一対のスライドガイド４４ａ、４４ｂを形成している。
【００２９】
このスライドプレート４０には、図８（ａ）に示すように、スイングプレート３０がスライド可能に係合している。具体的には、スライドプレート４０のスライドガイド４４ａ、４４ｂが、スイングプレート３０のスライド脚部３４ａ、３４ｂにそれぞれ係合し、かつ、スライドガイド孔４２内に第１カムピン２６の先端（＋Ｚ側の先端）が挿入されている。
【００３０】
次に、図８〜図１０に基づいて、スライドプレート４０の動作（動き）について詳細に説明する。なお、図８〜図１０では、第２筐体１２の図示を省略している。
【００３１】
図８（ａ）は、携帯電話１００が第１状態にある場合（図１（ａ））を示している。この第１状態では、第１カムピン２６が、スライドガイド孔４２の＋Ｙ側端部に位置しており、スライドプレート４０は、これ以上−Ｙ側には移動できないようになっている。
【００３２】
図８（ｂ）には、図８（ａ）の状態から、スライドプレート４０に＋Ｙ方向の力Ｆｃが加わることで、スライドプレート４０が＋Ｙ方向に移動した状態が示されている。この状態では、スライドガイド孔４２の第１孔部４２ａ内に、第１カムピン２６が位置している。したがって、たとえ、スライドプレート４０に対してＺ軸回りの力が作用しても、第１カムピン２６とスライドガイド孔４２との接触により、スライドプレート４０及びスライドプレート４０に係合するスイングプレート３０は、回転しない。
【００３３】
図８（ｃ）には、図８（ｂ）の状態から更にスライドプレート４０が＋Ｙ方向に移動した状態（第２状態（図１（ｂ）参照））が示されている。この状態では、第１カムピン２６が、スライドガイド孔４２の第１孔部４２ａと第２孔部４２ｂとが交差する部分に位置する。すなわち、スライドプレート４０は、これ以上＋Ｙ方向には移動することができない。
【００３４】
図９（ａ）には、図８（ｃ）の状態から、スライドプレート４０にＺ軸回りの回転方向の力Ｆｄが付与された状態が示されている。この図９（ａ）に示すようにスライドプレート４０に回転力Ｆｄが作用すると、スライドプレート４０及びスイングプレート３０が回転を開始する。この場合、スイングプレート３０は、図６（ａ）〜図７（ｄ）のように、＋Ｙ、−Ｙ方向に往復移動しつつ回転するが、スライドプレート４０は、第２孔部４２ｂが第１カムピン２６に沿うことで、図９（ａ）、図９（ｂ）のように、矢印Ｓ方向にスライドしながら回転する。
【００３５】
本実施形態では、上記動作を経ることで、図１０に示すように、スライドプレート４０が９０°回転し、かつ第１筐体１１の短手方向中央部とスライドプレート４０の長手方向中央部とが略一致する位置に位置決めされる（第３状態）。なお、スライドプレート４０が、図１０の位置に位置決めされるのは、第１カムピン２６がベースプレート２０のＸ軸方向中央に位置し、かつ第２孔部４２ｂの第１孔部４２ａとは反対側の端部がスライドプレート４０の長手方向中央部に位置していることに起因する。なお、第１筐体１１と第２筐体１２との間には、実際には、上記スライド及び回転動作を円滑に行うとともにユーザの操作感を高めるための弾性部材が設けられているが、当該弾性部材についての説明及び図示については省略するものとする。
【００３６】
図３（ａ）に戻り、ＦＰＣ２００は、２箇所において折り返された状態で、第１筐体１１と第２筐体１２との間に配置され、第１、第２筐体１１、１２間を電気的に接続する。具体的には、ＦＰＣ２００の一端部２００ａは、第１筐体１１に設けられた接続端子２９を介して第１筐体１１内に設けられた回路基板などの電気部品と接続される。また、ＦＰＣ２００の他端部２００ｂは、スライドプレート４０に形成された矩形開口４３を介して、第２筐体１２内に設けられた回路基板などの電気部品と接続される。
【００３７】
ＦＰＣ２００は、折り返さない状態では、図１１（ａ）に示すような形状を有している。具体的には、ＦＰＣ２００は、直線部７２と、曲線部７４と、直線部７２及び曲線部７４を連結する連結部７６と、を有している。直線部７２は、図１１（ａ）のＡ軸方向に延びている。曲線部７４は、Ａ軸方向に延びる第１部分７４ａと、Ａ軸に直交するＢ軸方向に延びる第２部分７４ｂと、これら第１、第２部分７４ａ、７４ｂを連結する円弧状部分７４ｃと、を含む。連結部７６は、Ｂ軸方向に延びている。
【００３８】
また、ＦＰＣ２００は、携帯電話１００に実装される状態では、図１１（ｂ）に示すように、直線部７２と、曲線部７４の両方に折り返し部分が設けられる。直線部７２の折り返し部分は、折れ目７８を有しており、曲線部７４の折り返し部分は、折れ目７９を有している。なお、本明細書で「折れ目」とは、ＦＰＣが破断しない程度に適度な湾曲を有するように折り返した部分の端部（図１１（ｂ）では＋Ａ側の端部）を意味している。なお、適度な湾曲としては、例えば湾曲半径０．５ｍｍ程度以上とすることができる。
【００３９】
図１２（ａ）〜図１２（ｃ）には、携帯電話１００が図８（ａ）〜図８（ｃ）の動作を行ったときのＦＰＣ２００の動きが示されている。また、図１３（ａ）、図１３（ｂ）には、携帯電話１００が図９（ａ）、図９（ｂ）の動作を行ったときのＦＰＣ２００の動きが示されている。更に、図１４には、携帯電話が図１０の状態になったときのＦＰＣ２００の状態が示されている。
【００４０】
図１２（ａ）に示すように、携帯電話１００が第１状態にあるときには、折れ目７８はＸ軸方向に沿って延びており、（１）で示す位置に位置している。また、折れ目７９もＸ軸方向に沿って延びており、（２）で示す位置に位置している。次いで、図１２（ｂ）、図１２（ｃ）に示すように、スライドプレート４０（第２筐体１２）が＋Ｙ方向にスライドすると、Ｘ軸方向に沿って延びる折れ目７８が、＋Ｙ方向に移動する（（１）→（１）’→（１）”）。この場合の、折れ目７８の移動量は、第２筐体１２のスライド量の１／２である。なお、折れ目７９については、第２筐体１２がスライド移動する間は、図１２（ａ）〜図１２（ｃ）に示すように、（２）の位置で維持されるようになっている。
【００４１】
次いで、図１３（ａ）〜図１４に示すように、スライドプレート４０（第２筐体１２）が回転とスライド移動とを同時に行った場合には、折れ目７８が、スライド方向に沿って移動するとともに、折れ目７９が回転方向に移動する。この場合、折れ目７８は、スライド方向に垂直な方向に延びた状態を維持する。また、折れ目７９は、回転方向に垂直な方向（回転軸を中心とする円の半径方向）に延びた状態を維持する。折れ目７８は、第２筐体１２のスライド量の１／２だけ移動し、折れ目７９は、第２筐体１２の回転量の１／２だけ移動するようになっている。
【００４２】
このように、本実施形態では、ＦＰＣ２００を図１１（ａ）のような形状とし、直線部７２と曲線部７４を折れ目７８、７９で折り返して、第１筐体１１と第２筐体１２とを電気的に接続するので、折れ目７８、７９がスライド及び回転の方向に垂直な方向に延びた状態を維持したまま、第２筐体１２のスライド及び回転方向に移動するようになる。これにより、第２筐体１２がスライド及び／又は回転しても、ＦＰＣ２００が無理に折れ曲がったり、縒れたりすることがないので、ＦＰＣ２００の断線を抑制することができる。したがって、携帯電話１００の不具合の発生を防止することができる。また、スライド及び回転が可能な携帯電話１００であっても、ＦＰＣ２００で第１筐体１１と第２筐体１２とを電気的に接続することができるので、防水機能の導入を容易に実現することが可能である。
【００４３】
ここで、図１５に示すように、スライドプレート４０の−Ｙ側の面には、凹部４２ｃ、４２ｄを設けておくことができる。これら凹部４２ｃ、４２ｄは、折れ目７８、７９が移動する範囲に設けられる。これにより、折れ目７８、７９が第１筐体１１と第２筐体１２に挟まれた状態であっても、折れ目７８、７９に過度に負荷がかかるのを抑制することができる。したがって、凹部４２ｃ、４２ｄによれば、折れ目７８、７９近傍におけるＦＰＣ２００の断線の発生を抑制することができる。なお、凹部４２ｃや凹部４２ｄは、第２筐体１２側のみに設ける場合に限らず、第１筐体１１側と第２筐体１２側の両方に設けても良いし、第１筐体１１側にのみ設けても良い。
【００４４】
なお、上記実施形態では、携帯電話１００が閉じた第１状態、スライドした第２状態、略Ｔ字状の第３状態と遷移する場合について説明したが、これに限られるものではない。例えば、携帯電話が、第１状態、第２状態（図１６（ａ））、及び第２状態から、スライドプレート４０（第２筐体１２）が回転のみして略Ｌ字状となる第３状態（図１６（ｂ））の間で遷移することとしても良い。このような携帯電話を実現するためには、例えば、図１６（ａ）に示すように、スライドガイド孔４２’を、Ｙ軸方向に延びる第１孔部４２ａと、略円弧状に延びる第２孔部４２ｂ’とにより構成し、かつスイングプレートを省略する。
【００４５】
この場合においても、上記実施形態と同様のＦＰＣ２００を採用することで、第１状態から第２状態に遷移する際の第２筐体１２のスライド移動に対応できるのは勿論、第２状態から第３状態に遷移する際の第２筐体１２の回転にも対応することができる。すなわち、図１６（ａ）の第２状態から、図１６（ｂ）の第３状態に遷移する場合でも、折れ目７９の延びる方向を、回転方向に垂直な方向に維持しつつ回転方向に移動させることができる。これにより、上記実施形態と同様の効果を得ることができる。なお、図１６（ａ）、図１６（ｂ）の携帯電話にＦＰＣ２００を実装する場合には、上記実施形態で用いたＦＰＣ２００の大きさや寸法等を、適宜調整すれば良い。
【００４６】
なお、上記実施形態では、ＦＰＣ２００の形状として、図１１（ａ）のような形状を採用した場合について説明したが、これに限られるものではない。ＦＰＣとしては、複数の折り返し部が設けられ、そのうちの一の折り返し部分が、第２筐体１２のスライド方向に垂直な方向に沿った折れ目を有するとともに、当該折れ目が第２筐体１２のスライド時にスライド方向に移動するものであり、他の折り返し部分が、第２筐体１２の回転方向に垂直な方向に沿った折れ目を有するとともに、当該折れ目が前記第２筐体１２の回転時に回転軸回りに移動するものであれば良い。すなわち、ＦＰＣの形状は、図１１（ａ）のような形状に限定されるものではなく、例えば、折り返し部分（折れ目）は、３つ以上あっても良い。また、第１筐体１１と第２筐体１２の間の機構（スライド、回転のための機構）との機械的な干渉を避けるために、図１１（ａ）の形状を適宜変更しても良い。
【００４７】
なお、上記実施形態では、電子機器として携帯電話が採用された場合について説明したが、これに限らず、第１筐体及び第２筐体を有する電子機器であれば、他の電子機器を採用することも可能である。
【００４８】
上述した実施形態は本発明の好適な実施の例である。但し、これに限定されるものではなく、本発明の要旨を逸脱しない範囲内において種々変形実施可能である。
【符号の説明】
【００４９】
１１  第１筐体
１２  第２筐体
４２ｃ、４２ｄ  凹部
７８  折れ目
７９  折れ目
７２  直線部（第１部分）
７４  曲線部（第２部分）
１００  携帯電話（電子機器）
２００  フレキシブルプリント基板
【図１】
2011142396.tif 000003
【図２】
2011142396.tif 000004
【図３】
2011142396.tif 000005
【図４】
2011142396.tif 000006
【図５】
2011142396.tif 000007
【図６】
2011142396.tif 000008
【図７】
2011142396.tif 000009
【図８】
2011142396.tif 000010
【図９】
2011142396.tif 000011
【図１０】
2011142396.tif 000012
【図１１】
2011142396.tif 000013
【図１２】
2011142396.tif 000014
【図１３】
2011142396.tif 000015
【図１４】
2011142396.tif 000016
【図１５】
2011142396.tif 000017
【図１６】
2011142396.tif 000018